(57)【要約】【課題】開閉体が閉鎖状態から開放状態に移動する際、又は、開放状態から閉鎖状態に移動する際において、上下に隣り合う上のパネルに設けられた補強体と下のパネルに設けられたガイドレールの軸との衝突を防止できる開閉体を備えた開閉装置を提供する。【解決手段】開閉体が、開閉体の移動方向に沿って並ぶように設けられた複数のパネルを備えて、互いに隣り合うパネルがヒンジを介して連結されており、上下方向に隣り合うパネルのうち下側に位置されるパネル１０Ｌの一方の領域側の面における左右の端部側の上端側に設けられたガイドローラ２９と、上下方向に隣り合うパネルのうち上側に位置されるパネル１０Ｕの下端側において一方の領域側に突出するとともに、開口の横幅方向に対応するパネルの左右方向に延長するように設けられた補強体（下側補強体２１）とを備え、開閉体は、ガイドローラ２９の軸３４の真上に補強体が存在しないように構成された。【選択図】図１８
2020066946.tif 000002
【特許請求の範囲】
【請求項１】
構造物に形成された開口を開閉する開閉体を備え、
当該開閉体が、開口を閉鎖する閉鎖状態と開口を開放する開放状態とに設定され、
閉鎖状態においては、開閉体が上下方向に延在して開口を閉鎖する状態に設定され、
開放状態においては、開閉体が開口を隔てた一方の領域の天井に沿って延在して開口を開放する状態に設定される開閉装置であって、
開閉体が、開閉体の移動方向に沿って並ぶように設けられた複数のパネルを備えて、互いに隣り合うパネルがヒンジを介して連結されており、
上下方向に隣り合うパネルのうち下側に位置されるパネルの一方の領域側の面における左右の端部側の上端側に設けられたガイドローラと、
上下方向に隣り合うパネルのうち上側に位置されるパネルの下端側において一方の領域側に突出するとともに、開口の横幅方向に対応するパネルの左右方向に延長するように設けられた補強体と、
構造物に固定されて被ガイド部をガイドするガイド部とを備え、
ガイドローラが、軸と、軸の先端側に設けられてガイド部内を移動する被ガイド部とを備え、
開閉体は、ガイドローラの軸の真上に補強体が存在しないように構成されたことを特徴とする開閉装置。
【請求項２】
パネルは、開口の横幅方向に沿った長辺縁と開口の上下方向に沿った短辺縁とを備えた矩形状のパネル本体と、パネル本体の四方を囲む框とを備え、
框は、パネル本体の上側の長辺縁に沿って設けられた上框と、パネル本体の下側の長辺縁に沿って設けられた下框と、パネル本体の左右の短辺縁に沿ってそれぞれ設けられた左右の縦框とを備え、
下框と下框の一方の領域側の面より突出する補強体とが一体に形成され、
補強体は、下框の一方の領域側の面において左の縦框と右の縦框とに亘って連続して設けられていた状態から左右の端部側が切除された軸除け部を備え、
ガイドローラの軸の真上に軸除け部が位置されたことによって、ガイドローラの軸の真上に補強体が存在しないように構成されたことを特徴とする請求項１に記載の開閉装置。
【請求項３】
補強体の左右の端部側が切除された部分において、下框と補強体との境界に残った切除跡を隠す境界切除跡隠しカバーが下框に取付けられたことを特徴とする請求項２に記載の開閉装置。
【請求項４】
補強体の左右の端部側が切除された部分において、切除後の補強体の端面に残った切除跡を隠す端面切除跡隠しカバーが切除後の補強体の端部に取付けられたことを特徴とする請求項２又は請求項３に記載の開閉装置。
【請求項５】
補強体は中空材料により形成され、当該補強体の下面には、ヒンジの片方の取付板を補強体にねじ止めするためのねじの頭部が収容されるねじ頭部収容溝を備えたことを特徴とする請求項１乃至請求項４のいずれか一項に記載の開閉装置。
【発明の詳細な説明】
【技術分野】
【０００１】
本発明は、オーバースライディングドア、あるいは、オーバーヘッドドア等と呼称される開閉装置に関する。
【背景技術】
【０００２】
オーバースライディングドア、あるいは、オーバーヘッドドア等と呼称される開閉装置が知られている（特許文献１等参照）。
当該開閉装置は、構造物の開口を開閉する開閉体が、上下方向に延在して開口を閉鎖する閉鎖状態と、開口を隔てた一方の領域の天井側において当該天井に沿って延在して開口を開放する開放状態とに設定される。
上述した開閉体は、開閉体の移動方向に沿って並ぶように設けられた複数のパネルと、各パネルの一方の領域側の面より突出するように設けられた補強体と、各パネルの左右の側縁より外方に突出するように設けられたガイドローラとを備える。
開閉体の移動方向に沿って並ぶように設けられた複数のパネルは、互いに隣り合うパネルがヒンジを介して連結されている。
各パネルは、開口の左右方向（横幅方向）に沿って延長して開口の横幅寸法に対応した長辺と開口の上下方向（高さ方向）に沿って延長する短辺とを備えた左右方向に長い長尺な矩形状に形成されている。
【先行技術文献】
【特許文献】
【０００３】
【特許文献１】特開２０１７−２１４７４５号公報
【発明の概要】
【発明が解決しようとする課題】
【０００４】
上述した従来の開閉装置は、例えば、図１９に示すように、開閉体３Ｚが、互いに隣り合う各パネルがヒンジ３３０を介して連結されて構成されており、開閉体３Ｚが閉鎖状態から開放状態に移動する際、又は、開閉体３Ｚが開放状態から閉鎖状態に移動する際において、開閉体３Ｚの移動方向に沿って互いに隣り合う上側に位置するパネル１０Ｕの一方の領域側の面と下側に位置するパネル１０Ｌの一方の領域側の面とのなす角度が１８０度以下となることが可能なように構成されている。
また、ガイドローラ３００は、軸３０１と、軸３０１の先端に設けられたローラ３０２とを備えて構成される。
そして、このガイドローラ３００のローラ３０２が、上下に隣り合う下のパネル１０Ｌの左右の側縁から左右の外側に突出するように、軸３０１が、下のパネル１０Ｌの左右の框３０５，３０５の上端側における一方の領域側の面に取付けられた軸受３０３によって回転可能に取付けられている。
この場合、ガイドローラ３００の軸３０１は、軸３０１の安定な回転動作、又は、ガイドローラ３００の安定な取付状態が維持されるように、軸３０１の後端側３１０が、軸受３０３を通過して左右の框３０５，３０５よりパネル１０Ｌの中央側に突出するように設けられている。
また、補強体３５０は、上下に隣り合う上のパネル１０Ｕの下端縁側における一方の領域側の面において、左右の框３０５，３０５間に亘って連続して設けられている。
従って、図１９に示すように、開閉体３Ｚが閉鎖状態から開放状態に移動する際において、上のパネル１０Ｕが開口側から天井側に移動する際に、補強体３５０が下のパネル１０Ｌに近づくように回転した場合に、補強体３５０の下面３５１が下のパネル１０Ｌに設けられた軸３０１の後端側３１０に衝突する可能性がある。又、開閉体３Ｚが開放状態から閉鎖状態に移動する際において、下のパネル１０Ｌが天井側から開口側に移動する際に、下のパネル１０Ｌに設けられた軸３０１の後端側３１０が上のパネル１０Ｕに近づくように回転した場合に、軸３０１の後端側３１０が上のパネル１０Ｕの補強体３５０に衝突する可能性がある。
このように、補強体３５０とガイドローラ３００の軸３０１とが衝突した場合、衝突音の発生、補強体３５０の損傷、軸３０１や軸受３０３の損傷等の不具合が生じる可能性がある。
【０００５】
本発明は、上記課題を解消すべく、開閉体が閉鎖状態から開放状態に移動する際、又は、開放状態から閉鎖状態に移動する際において、上下に隣り合う上のパネルに設けられた補強体と下のパネルに設けられたガイドレールの軸との衝突を防止できる開閉体を備えた開閉装置を提供するものである。
【課題を解決するための手段】
【０００６】
本発明に係る開閉装置は、構造物に形成された開口を開閉する開閉体を備え、当該開閉体が、開口を閉鎖する閉鎖状態と開口を開放する開放状態とに設定され、閉鎖状態においては、開閉体が上下方向に延在して開口を閉鎖する状態に設定され、開放状態においては、開閉体が開口を隔てた一方の領域の天井に沿って延在して開口を開放する状態に設定される開閉装置であって、開閉体が、開閉体の移動方向に沿って並ぶように設けられた複数のパネルを備えて、互いに隣り合うパネルがヒンジを介して連結されており、上下方向に隣り合うパネルのうち下側に位置されるパネルの一方の領域側の面における左右の端部側の上端側に設けられたガイドローラと、上下方向に隣り合うパネルのうち上側に位置されるパネルの下端側において一方の領域側に突出するとともに、開口の横幅方向に対応するパネルの左右方向に延長するように設けられた補強体と、構造物に固定されて被ガイド部をガイドするガイド部とを備え、ガイドローラが、軸と、軸の先端側に設けられてガイド部内を移動する被ガイド部とを備え、開閉体は、ガイドローラの軸の真上に補強体が存在しないように構成されたことを特徴とする。
また、パネルは、開口の横幅方向に沿った長辺縁と開口の上下方向に沿った短辺縁とを備えた矩形状のパネル本体と、パネル本体の四方を囲む框とを備え、框は、パネル本体の上側の長辺縁に沿って設けられた上框と、パネル本体の下側の長辺縁に沿って設けられた下框と、パネル本体の左右の短辺縁に沿ってそれぞれ設けられた左右の縦框とを備え、下框と下框の一方の領域側の面より突出する補強体とが一体に形成され、補強体は、下框の一方の領域側の面において左の縦框と右の縦框とに亘って連続して設けられていた状態から左右の端部側が切除された軸除け部を備え、ガイドローラの軸の真上に軸除け部が位置されたことによって、ガイドローラの軸の真上に補強体が存在しないように構成されたことを特徴とする。
上述した本発明の構成によれば、開閉体が閉鎖状態から開放状態に移動する際、又は、開放状態から閉鎖状態に移動する際において、上下に隣り合う上のパネルに設けられた補強体と下のパネルに設けられたガイドレールの軸との衝突を防止できる開閉体を備えた開閉装置を得ることができる。
また、補強体の左右の端部側が切除された部分において、下框と補強体との境界に残った切除跡を隠す境界切除跡隠しカバーが下框に取付けられたことを特徴とする。
また、補強体の左右の端部側が切除された部分において、切除後の補強体の端面に残った切除跡を隠す端面切除跡隠しカバーが切除後の補強体の端部に取付けられたことを特徴とする。
以上の構成によれば、見栄えの良い軸除け部を形成することができ、見栄えの良い、意匠性に優れた開閉体を提供できる。
また、補強体は中空材料により形成され、当該補強体の下面には、ヒンジの片方の取付板を補強体にねじ止めするためのねじの頭部が収容されるねじ頭部収容溝を備えたことを特徴とするので、補強体の下面にヒンジを容易に取付けることができるようになる。
【図面の簡単な説明】
【０００７】
【図１】開閉体を閉鎖状態とした際の開閉装置の全体構成斜視図。
【図２】開閉体を開放状態とした際の開閉装置の全体構成斜視図。
【図３】閉鎖状態の開閉体を一方の領域側から見た正面図。
【図４】閉鎖状態の開閉体の側面図。
【図５】閉鎖状態の開閉体の最上端側に位置される上パネルを示す縦断面図。
【図６】閉鎖状態の開閉体の中央側に位置される中間パネルを示す縦断面図。
【図７】閉鎖状態の開閉体の最下端側に位置される下パネルを示す縦断面図。
【図８】補強体倒れ防止手段を示す斜視図であり、（ａ）は補強体倒れ防止手段の外表面側を見た図、（ｂ）は補強体倒れ防止手段の内表面側を見た図。
【図９】補強体倒れ防止手段がパネルの一方の領域側の面と補強体とを連結するように設けられた状態を示す斜視図。
【図１０】ガイド部と被ガイド部と被ガイド部抜け防止手段との関係を示す断面図。
【図１１】ガイド部と被ガイド部抜け防止手段との関係を示す斜視図。
【図１２】ガイド部と被ガイド部抜け防止手段との関係を示す分解斜視図。
【図１３】軸除け部の構成を示す正面図。
【図１４】軸除け部の構成を示す斜視図。
【図１５】境界切除跡隠しカバーを示す斜視図。
【図１６】端面切除跡隠しカバーを示す斜視図。
【図１７】（ａ）は境界切除跡隠しカバー、端面切除跡隠しカバー、ねじと取付部との関係を示す分解斜視図、（ｂ）は境界切除跡隠しカバー、端面切除跡隠しカバー、ねじを取付けた状態を示す斜視図。
【図１８】軸除け部による効果を示す動作説明図。
【図１９】従来の問題点を示す動作説明図。
【発明を実施するための形態】
【０００８】
図１，図２に示すように、実施形態に係る開閉装置１は、構造物に形成された開口２を開閉する開閉体３と、開閉体３の移動をガイドするガイド部４と、開閉体３の開閉機構５と、開閉体３に設けられた被ガイド部としてのローラ３０のガイド部４からの抜けを防止する被ガイド部抜け防止手段８（図１０参照）とを備え、開口２を開閉する開閉体３が開口２を開放した場合に、開閉体３が、開口２を隔てた一方の領域６の天井側に当該天井に沿って位置された（収納された）状態となる、所謂、オーバースライディングドア、あるいは、オーバーヘッドドア等と呼称される開閉装置である。
【０００９】
開口２は、例えば住宅やビル、倉庫、工場等の構造物の内外を仕切る外壁や、構造物の内部において内部空間を仕切る内壁等の躯体７に開設されて、内外を連通する空間として上下左右方向に延長するように設けられた例えば矩形状の開口（図１，図２において、一点鎖線で示した矩形の開口２）である。
また、開口２を隔てた一方の領域６とは、構造物の屋内、又は、構造物の室内であり、例えば、住宅やビルの駐車場内、工場内、倉庫内等の領域である。
また、開口２を隔てた他方の領域は、構造物の屋外、又は、構造物の室外であり、例えば、住宅やビルの駐車場の外側、工場の外側、倉庫の外側等の領域である。
【００１０】
開閉体３は、上下方向に延在して開口２を閉鎖する閉鎖状態と、一方の領域６における開口２の近傍の天井に沿って延在して開口２を開放する開放状態とに設定される。
即ち、図１に示すように、閉鎖状態においては、上下方向に延在する開閉体３の一端（上端）３ｔが開口２の上方側に位置されるとともに、開閉体３の他端（下端）３ｕが床面、地面等の開口下端に接触した状態となって、開閉体３が開口２を閉鎖する状態に設定される。
また、図２に示すように、開放状態においては、開口２を隔てた一方の領域６の天井側において、開閉体３の一端３ｔが開口２より離れた天井側に位置されるとともに、開閉体３の他端３ｕが開口２の上方側に位置されることによって、開閉体３が、開口２の上方側から当該開口２より離れる方向に一方の領域６の天井に沿って延在して、開口２を開放する状態に設定される。
【００１１】
尚、開閉体３は、開放状態においては、一方の領域６の天井側において、図２に示すように、他端３ｕから一端３ｔにかけて水平に延在した状態となるタイプ、あるいは、他端３ｕから一端３ｔにかけて上向きに傾斜して延在した状態となるタイプ等がある。
【００１２】
図１，図３に示すように、開閉体３は、開閉体３の移動方向（開閉方向）Ｓに沿って並ぶように設けられた複数のパネルにより形成されたパネル構成体１０と、各パネルにおける一方の領域６側の面より突出して、パネルの左右方向（パネルの長辺縁に沿った方向（開口２の横幅方向））Ｗ及び一方の領域６に延長するように設けられた補強体と、パネルの一方の領域６側の面と補強体とを連結して補強体の倒れを防止する補強体倒れ防止手段６０と、各パネルの左右の側縁より外方に突出するように設けられた被ガイド部としてのローラ３０，３０…とを備える。
【００１３】
図３，図４に示すように、開閉体３の開閉面を形成するパネル構成体１０は、例えば、閉鎖状態の開閉体３の最上端側に位置される上パネル１０Ａと、閉鎖状態の開閉体３の最下端側に位置される下パネル１０Ｂと、上パネル１０Ａと下パネル１０Ｂとの間に設けられた複数の中間パネル１０Ｃ，１０Ｃ…とで構成される。
【００１４】
図３に示すように、各パネル１０Ａ，１０Ｂ，１０Ｃは、それぞれ、パネル本体１１と、パネル本体１１の四方を囲む框１２と、框補強部材１３とを備えて構成される。
【００１５】
パネル本体１１は、開口２の左右方向（横幅方向）に沿って延長して開口２の横幅寸法に対応した長辺と開口２の上下方向（高さ方向）に沿って延長する短辺とを備えた左右方向に長い長尺な矩形状に形成される。
尚、図５乃至図７に示すように、パネル本体１１は、断面形状が、例えば、上下方向に沿って連続する凹凸形状に形成される。即ち、パネル本体１１は、一方の領域６側に突出して左右方向に延長する平面１１ａと、他方の領域側に突出して左右方向に延長する平面１１ｂとを備えた凹凸パネルにより構成される。
このように、パネル本体１１を、強度の高い凹凸パネルにより構成したことによって、各パネル１０Ａ，１０Ｂ，１０Ｃの耐風圧効果を向上させることができる。
【００１６】
図３に示すように、框１２は、パネル本体１１の一端縁となる上側の長辺縁に沿って設けられた上框１５と、パネル本体１１の他端縁となる下側の長辺縁に沿って設けられた下框１６と、パネル本体１１の左右の短辺縁に沿ってそれぞれ設けられた左右の縦框１７，１８とで構成されて、左右方向に長い長尺な矩形状のパネル本体１１の四方を囲む枠体である。
従って、各パネル１０Ａ，１０Ｂ，１０Ｃは、開口２の左右方向（横幅方向）Ｗに沿って延長して開口２の横幅寸法に対応した長辺と開口２の上下方向（高さ方向）に沿って延長する短辺とを備えた左右方向に長い長尺な矩形状に形成される。
【００１７】
框補強部材１３は、パネル本体１１の一方の領域６と面する面側において、上框１５と下框１６とを連結した補強桟のような補強部材であり、パネル本体１１の長手方向、即ち、開口２の左右方向（横幅方向）Ｗに沿って所定の間隔を隔てて、複数個設けられている。
図５乃至図７に示すように、框補強部材１３は、一方の領域６側に位置して上端側が上框１５に連結されて下端側が下框１６に連結される主板部１３ｘと、当該主板部１３ｘの一方の側縁から他方の領域側に延長する補強板部１３ａと、補強板部１３ａの延長端より延長してパネル本体１１の平面１１ａと対向して当該平面１１ａに連結される連結板部１３ｂとを備える。
即ち、複数の框補強部材１３の主板部１３ｘの上端側が上パネル１０Ａの上框１５における一方の領域６側に位置する面１５ａに図外のリベット等の固定手段によって固定され、複数の框補強部材１３の主板部１３ｘの下端側が上パネル１０Ａの下框１６における一方の領域６側に位置する面１６ａに図外のリベット等の固定手段によって固定され、さらに、複数の框補強部材１３の連結板部１３ｂがパネル本体１１の一方の領域６側の平面１１ａに図外のリベット等の固定手段によって固定されている。
【００１８】
図５乃至図７に示すように、上框１５は、框補強部材１３の主板部１３ｘの上端側が連結される一方の領域６側の面１５ａと、他方の領域側に設けられてパネル本体１１の上端縁側１１ｔを挟持する挟持部１５ｂと、面１５ａの上端と挟持部１５ｂの上端とを繋ぐ上面１５ｃとを備え、左端部が左の縦框１７と連結され、右端部が右の縦框１８と連結されている。
挟持部１５ｂは、上面１５ｃの他方の領域側に位置する長辺縁から下方に分岐する２つの挟持片により構成される。
図５に示すように、上パネル１０Ａの上框１５の上面１５ｃは、他方の領域側が上方に位置される上側平面に形成され、一方の領域６側が下方に位置される下側平面に形成され、上側平面の一方の領域６側の長辺縁と下側平面の他方の領域側の長辺縁とが傾斜面で繋がれて形成された凹凸係合面に構成されている。
また、図６，図７に示すように、中間パネル１０Ｃ及び下パネル１０Ｂの上框１５の上面１５ｃは、他方の領域側が下方に位置される下側平面に形成され、一方の領域６側が上方に位置される上側平面に形成され、下側平面の一方の領域６側の長辺縁と上側平面の他方の領域側の長辺縁とが傾斜面で繋がれて形成された凹凸係合面に構成されている。
【００１９】
図５乃至図７に示すように、下框１６は、框補強部材１３の主板部１３ｘの下端側が連結される一方の領域６側の面１６ａと、他方の領域側に設けられてパネル本体１１の下端縁側１１ｕを挟持する挟持部１６ｂと、面１６ａの下端と挟持部１６ｂの下端とを繋ぐ下面１６ｃとを備え、左端部が左の縦框１７と連結され、右端部が右の縦框１８と連結されている。
挟持部１６ｂは、下面１６ｃの他方の領域側に位置する長辺縁から上方に分岐する２つの挟持片により構成される。
図５，図６に示すように、上パネル１０Ａ及び中間パネル１０Ｃの下框１６の下面１６ｃは、他方の領域側が下方に位置される下側平面に形成され、一方の領域６側が上方に位置される上側平面に形成され、下側平面の一方の領域６側の長辺縁と上側平面の他方の領域側の長辺縁とが傾斜面で繋がれて形成された凹凸係合面に構成されている。
【００２０】
また、図７に示すように、下パネル１０Ｂの下框１６の下面１６ｃは、面１６ａの下端と挟持部１６ｂの下端とを繋ぐ平面に形成され、当該平面に形成された下面１６ｃに水切りシール２５が設けられている。
即ち、開閉体３の他端３ｕとなる下パネル１０Ｂの下端は、下框１６の下面１６ｃに設けられた中空ゴム等による水切りシール２５により構成され、開閉体３が閉鎖状態となった場合に、当該水切りシール２５が床面、地面等の開口下端に密着した状態となって、開閉体３の他端３ｕと開口下端との水密性能、及び、気密性能が維持される。
【００２１】
上パネル１０Ａは、一方の領域６側の面において、開閉体３の移動方向Ｓに沿った一端縁側（上端縁側）及び開閉体３の移動方向Ｓに沿った他端縁側（下端縁側）に、補強体を備えている。
例えば、図３乃至図５に示すように、上パネル１０Ａは、上パネル１０Ａの上框１５における一方の領域６側に位置する面１５ａより上パネル１０Ａの左右方向Ｗ及び一方の領域６側に延長するように設けられて、一方の領域６側に延長する延長端側に、補強体倒れ防止手段６０の被係合部が係合する係合部が設けられた上側補強体２０と、上パネル１０Ａの下框１６における一方の領域６側に位置する面１６ａより上パネル１０Ａの左右方向Ｗ及び一方の領域６側に延長するように設けられて、一方の領域６側に延長する延長端側に、補強体倒れ防止手段６０の被係合部が係合する係合部が設けられた下側補強体２１とを備える。
【００２２】
上側補強体２０は、上框１５の面１５ａより当該面１５ａと直交して一方の領域６に延長するとともに上パネル１０Ａの左右方向Ｗに延長する板面を備えた中空板部２０ａと、中空板部２０ａの一方の領域６側の先端縁より延長して当該中空板部２０ａの板面と直交する板面を備えた中実板部２０ｂとを備えている。そして、中空板部２０ａの延長端側と中実板部２０ｂとにより被係合部が構成される。
【００２３】
中間パネル１０Ｃは、開閉体３の移動方向Ｓに沿った他端縁側（下端縁側）に、補強体を備えている。
例えば、図３，図４，図６に示すように、中間パネル１０Ｃは、中間パネル１０Ｃのパネル本体１１を囲む框１２における下框１６における一方の領域６側に位置する面１６ａより中間パネル１０Ｃの左右方向Ｗ及び一方の領域６側に延長するように設けられて、一方の領域に延長する延長端側に、補強体倒れ防止手段６０の被係合部が係合する係合部が設けられた下側補強体２１を備える。
【００２４】
上パネル１０Ａ及び中間パネル１０Ｃの下側補強体２１は、下框１６の面１６ａより当該面１６ａと直交して一方の領域６に延長するとともにパネル本体１１の左右方向Ｗに延長する板面を備えた中空板部２１ａと、中空板部２１ａの一方の領域６側の先端縁より延長して当該中空板部２１ａの板面と直交する板面を備えた中実板部２１ｂとを備えている。そして、中空板部２１ａの延長端側と中実板部２１ｂとにより被係合部が構成される。
【００２５】
上パネル１０Ａ及び中間パネル１０Ｃの下側補強体２１の中空板部２１ａには、後述するヒンジ３１の上取付板３１ａを当該中空板部２１ａに連結するためのねじ２８ａのねじ頭を収容するねじ頭収容溝２８が形成されている。このねじ頭収容溝２８は、中空板部２１ａの下面において、下面の左端と右端とに亘って連続するように形成されており、当該下面の左端又は右端からねじ頭収容溝２８にねじ２８ａのねじ頭を挿入して当該ねじ２８ａをヒンジ３１の取付位置まで移動させ、図４に示すように、ヒンジ３１の上取付板３１ａに形成されたねじ貫通孔にねじ２８ａの軸部を貫通させてナット２８ｂを締結することにより、ヒンジ３１の上取付板３１ａを中空板部２１ａの下面に容易に取付けることができる。
【００２６】
下パネル１０Ｂは、開閉体３の移動方向Ｓに沿った他端縁側（下端縁側）及び開閉体３の移動方向Ｓに沿った一端と他端との間の中央側に、補強体を備えている。
即ち、図３，図４，図７に示すように、下パネル１０Ｂは、下パネル１０Ｂのパネル本体１１を囲む框１２の下框１６における一方の領域６側に位置する面１６ａより下パネル１０Ｂの左右方向Ｗ及び一方の領域６に延長するように設けられた下側補強体２２と、各框補強部材１３の主板部１３ｘに取付けられて下パネル１０Ｂの左右方向Ｗ及び一方の領域６に延長するように設けられた中央側補強体２３とを備える。
【００２７】
下側補強体２２は、下框１６の面１６ａより当該面１６ａと直交して一方の領域６に延長するとともにパネル本体１１の左右方向に延長する板面を備えた板部２２ａと、当該板部２２ａの一方の領域６側の先端縁より延長して当該板部２２ａの板面と直交する板面を備えた板部２２ｂとを備えている。
【００２８】
中央側補強体２３は、框補強部材１３の主板部１３ｘの板面と直交する板面を有した中空板部２３ａと、中空板部２３ａを框補強部材１３の主板部１３ｘの板面に連結するための連結板部２３ｂとを備える。
【００２９】
下パネル１０Ｂの下側補強体２２及び中央側補強体２３は、例えば、開閉体３を開閉する操作者の脚にぶつかり難いように、一方の領域６方向への突出長さが、上側補強体２０及び下側補強体２１の一方の領域６方向への突出長さよりも短く形成されている。
【００３０】
補強体倒れ防止手段６０は、一端側に設けられた連結部が框補強部材１３に連結されるとともに、他端側に設けられた被係合部が補強体の係合部に係合した状態に連結されることによって、補強体とパネルの一方の領域６側の面とを連結して補強体の倒れを防止するように構成されている。
【００３１】
図５，図６，図８，図９に示すように、補強体倒れ防止手段６０は、上側補強体２０の中実板部２０ｂの一方の領域６側の面（以下、外面という）２０ｃ、又は、下側補強体２１の中実板部２１ｂの一方の領域６側の面（以下、外面という）２１ｃと接触する接触面６１ａを有した押さえ板６１と、押さえ板６１の一端縁６２より延長して、上側補強体２０の中実板部２０ｂの延長端の端面２０ｄ、又は、下側補強体２１の中実板部２１ｂの延長端の端面２１ｄと接触する接触面６３ａを有した引掛板６３と、押さえ板６１の他端縁６４より引掛板６３の延長方向と同方向でかつ引掛板６３から離れる方向に傾斜して延長する傾斜板６５と、当該傾斜板６５の一方の側縁６６より引掛板６３に近付く方向及び押さえ板６１から離れる方向に延長して傾斜板６５の板面と直交する板面を有した一方縁側補強板６７と、傾斜板６５の他方の側縁における押さえ板６１に近い側縁部分６８より引掛板６３に近付く方向に延長して傾斜板６５の板面と直交する板面を有した他方縁側補強板６９とを備えている。
【００３２】
一方縁側補強板６７において、傾斜板６５の延長端縁６５ｔよりも押さえ板６１から離れる方向に延長する部分が連結部としての連結板７０として機能し、当該連結板７０には、ボルト７５を貫通させるためのボルト貫通孔７１が１つ以上形成されている。
【００３３】
連結板７０は、押さえ板６１の延長方向と同方向に長い矩形板状に形成され、ボルト貫通孔７１は、例えば、連結板７０の長手方向に沿って所定の間隔を隔てて例えば２つ設けられている。
【００３４】
一方縁側補強板６７及び他方縁側補強板６９の引掛板６３に近付く方向への延長端の端面は、上側補強体２０の中空板部２０ａの一方板面（パネルの中心１０Ｚ（パネルの短辺に沿った長さの中心）に近い側の板面）２０ｅ、又は、下側補強体２１の中空板部２１ａの一方板面（パネルの中心１０Ｚに近い側の板面）２１ｅと接触する接触面７２に形成される。
【００３５】
補強体倒れ防止手段６０は、引掛板６３の接触面６３ａと、上側補強体２０の中実板部２０ｂの延長端の端面２０ｄ、又は、下側補強体２１の中実板部２１ｂの延長端の端面２１ｄとを接触させることで、当該引掛板６３を、当該端面２０ｄ、又は、端面２１ｄに引っ掛けるとともに、押さえ板６１の接触面６１ａと、上側補強体２０の中実板部２０ｂの外面２０ｃ、又は、下側補強体２１の中実板部２１ｂの外面２１ｃとを接触させ、かつ、一方縁側補強板６７及び他方縁側補強板６９の接触面７２，７２と、上側補強体２０の中空板部２０ａの一方板面２０ｅ、又は，下側補強体２１の中空板部２１ａの一方板面２１ｅとを接触させることにより、これら引掛板６３と押さえ板６１と一方縁側補強板６７及び他方縁側補強板６９とで構成された被係合部が、上側補強体２０の一方の領域６側に延長する延長端側の係合部、又は、下側補強体２１の一方の領域６側に延長する延長端側の係合部を、三方から囲んで挟持した状態に設定された後、連結板７０が、ボルト７５及びナット７６等の固定手段によって框補強部材１３の補強板部１３ａ（パネルの一方の領域６側の面）に取付けられる。
【００３６】
即ち、補強体倒れ防止手段６０は、一端側に設けられた連結部としての連結板７０と、他端側に設けられた連結部としての被係合部とを備え、上側補強体２０の一方の領域６側に延長する延長端側の係合部、又は、下側補強体２１の一方の領域６側に延長する延長端側の係合部を、三方から囲んで挟持する被係合部が、引掛板６３と押さえ板６１と一方縁側補強板６７及び他方縁側補強板６９とにより構成されている。
【００３７】
以上のように補強体倒れ防止手段６０が設けられたことにより、補強体倒れ防止手段６０は、以下のように、上側補強体２０の倒れ、又は、下側補強体２１の倒れを防止する。
即ち、例えば閉鎖状態の開閉体３に、開口２を隔てた他方の領域側から風圧が加わった場合、図５において、上側補強体２０が上框１５との境界を回転中心として上パネル１０Ａの中心１０Ｚから離れる方向に、及び、下側補強体２１が下框１６との境界を回転中心として上パネル１０Ａの中心１０Ｚから離れる方向に倒れようとするが、この際、補強体が倒れようとする力が引掛板６３の接触面６３ａで受け止められて、補強体が倒れようとする力に対して補強体倒れ防止手段６０が抵抗するため、補強体の倒れを防止できる。
また、例えば閉鎖状態の開閉体３に、開口を隔てた一方の領域６側から風圧が加わった場合、図５において、上側補強体２０が上框１５との境界を回転中心として上パネル１０Ａの中心１０Ｚ側に向けて、及び、下側補強体２１が下框１６との境界を回転中心として上パネル１０Ａの中心１０Ｚ側に向けて倒れようとするが、この際、補強体が倒れようとする力が一方縁側補強板６７及び他方縁側補強板６９の接触面７２，７２で受け止められて、補強体が倒れようとする力に対して補強体倒れ防止手段６０が抵抗するため、補強体の倒れを防止できる。
【００３８】
即ち、補強体とパネルの一方の領域６側の面とが補強体倒れ防止手段６０で連結されたことにより、上側補強体２０が上框１５との境界を回転中心として開口２側に倒れてしまうことや、下側補強体２１が下框１６との境界を回転中心として開口２側に倒れてしまうことを防止でき、補強体の倒れに起因するパネルの変形を防止できるようになる。
【００３９】
尚、上側補強体２０とパネルとを連結する場合と下側補強体２１とパネルとを連結する場合とでは、同じ補強体倒れ防止手段６０を向きを変えて使用する。
即ち、上側補強体２０とパネルとを連結する場合においては、連結板７０において他方縁側補強板６９と対向する側の内面７０ｕを框補強部材１３の補強板部１３ａと接触させるとともに、傾斜板６５の延長端縁６５ｔと框補強部材１３の主板部１３ｘの板面とを対向させた状態としてから、連結板７０を補強板部１３ａに取付ける。
また、下側補強体２１とパネルとを連結する場合においては、連結板７０において内面７０ｕとは反対側の外面７０ｆを框補強部材１３の補強板部１３ａと接触させた状態としてから、連結板７０を補強板部１３ａに取付ける。
【００４０】
開閉体３の移動方向Ｓに沿って並ぶように設けられた複数のパネル１０Ａ，１０Ｂ，１０Ｃは、互いに隣り合うパネルがヒンジ３１，３２を介して連結されている。
図３に示すように、開閉体３の移動方向Ｓに沿って互いに隣り合うパネルは、左右方向の端部側がヒンジ３２，３２により連結され、さらに、左端部と右端部との間は、左右方向に沿って間隔を隔てた複数個所においてヒンジ３１，３１…により連結されていることにより、開閉体３の移動方向Ｓに沿って互いに隣り合う一方のパネルの一方の領域６側の面と他方のパネルの一方の領域６側の面とのなす角度が１８０度以下となることが可能なように構成されている。
【００４１】
即ち、開閉体３の移動方向に沿って並ぶように設けられたパネル構成体１０は、互いに隣り合う一方のパネルの長辺縁側と他方のパネルの長辺縁側とが連結手段としてのヒンジ３１，３２を介して連結され、互いに隣り合うパネルの板面が、同一平面上に位置される状態、及び、互いに交差する状態に設定可能に構成されている。
【００４２】
図３，図４に示す、閉鎖状態のパネル構造体１０で説明した場合、上下に隣り合うパネル同士は、具体的には、以下のように連結されている。
上のパネルの左端部側に位置される左の縦框１７における一方の領域６側の面の下端側と、下のパネルの左端部側に位置される左の縦框１７における一方の領域６側の面の上端側とが、ヒンジ３２によって連結されている。
上のパネルの右端部側に位置される右の縦框１８における一方の領域６側の面の下端側と、下のパネルの左端部側に位置される右の縦框１８における一方の領域６側の面の上端側とが、ヒンジ３２によって連結されている。
即ち、ヒンジ３２は、例えば図１３に示すように、上のパネルの左の縦框１７又は右の縦框１８にボルト８６及びナット８７により取付けられる上取付板３２ａと、下のパネルの左の縦框１７又は右の縦框１８にボルト８６及びナット８７により取付けられる下取付板３２ｂと、回転中心軸３２ｃとを備え、上取付板３２ａ及び下取付板３２ｂが回転中心軸３２ｃに回転可能に取付けられた構成の蝶番である。
上のパネルに設けられた下側補強体２１の中空板部２１ａの下面と、下のパネルの一方の領域６側の面の左右方向に沿って所定の間隔を隔てて設けられた各框補強部材１３，１３…の上端側とが、パネルの左右方向に沿って所定の間隔を隔てて配置された複数のヒンジ３１，３１…によって連結されている。
ヒンジ３１は、例えば図４に示すように、上のパネルの下側補強体２１の中空板部２１ａの下面に上述したねじ２８ａ及びナット２８ｂにより取付けられる上取付板３１ａと、下のパネルの框補強部材１３の主板部１３ｘにボルト８８及びナット８９で取付けられる下取付板３１ｂと、回転中心軸３１ｃとを備え、上取付板３１ａ及び下取付板３１ｂが回転中心軸３１ｃに回転可能に取付けられた構成の蝶番である。
【００４３】
また、図４に示すように、上パネル１０Ａの下框１６の下面１６ｃを形成する係合凹凸面と上パネル１０Ａの下隣りに位置された中間パネル１０Ｃの上框１５の上面１５ｃを形成する係合凹凸面とを互いに係合させた状態で、これら上パネル１０Ａと中間パネル１０Ｃとがヒンジ３１，３２により連結されている。
また、中間パネル１０Ｃの下框１６の下面１６ｃを形成する係合凹凸面と当該中間パネル１０Ｃの下隣りに位置された中間パネル１０Ｃの上框１５の上面１５ｃを形成する係合凹凸面とを互いに係合させた状態で、これら中間パネル１０Ｃと中間パネル１０Ｃとがヒンジ３１，３２により連結されている。
また、下パネル１０Ｂの上框１５の上面１５ｃを形成する係合凹凸面と当該下パネル１０Ｂの上隣りに位置された中間パネル１０Ｃの下框１６の下面１６ｃを形成する係合凹凸面とを互いに係合させた状態で、これら下パネル１０Ｂと中間パネル１０Ｃとがヒンジ３１，３２により連結されている。
【００４４】
図３に示すように、パネル構成体１０を構成する各パネル１０Ａ，１０Ｂ，１０Ｃの左右方向（長手方向）Ｗの端部において、例えば、開閉体３の移動方向Ｓに沿った一端縁側（上端縁（長辺縁）側）側には、それぞれ軸受部３３，３３が設けられ、この軸受部３３にはパネルの左右方向Ｗの端縁より外側に突出する軸（回転軸）３４が回転可能に取付けられている。そして、被ガイド部は、例えば当該軸３４の先端側に設けられてガイド部４の凹部内の転動ガイド面を転動可能に構成された転動体としてのローラ３０により構成される。
即ち、開閉体３が閉鎖状態の場合で説明すると、被ガイド部としてのローラ３０は、各パネル１０Ａ，１０Ｂ，１０Ｃの左端縁の上端側より左側外方に突出するように設けられるとともに、各パネル１０Ａ，１０Ｂ，１０Ｃの右端縁の上端側より右側外方に突出するように設けられる。
従って、各パネル１０Ａ，１０Ｂ，１０Ｃに設けられた被ガイド部としてのローラ３０がガイド部４によって移動方向Ｓにガイドされることによって、開閉体３が移動方向Ｓに移動可能に構成されている。
尚、ローラ３０は、パネルの左右方向Ｗの端縁より外側に突出する固定軸の先端側に回転可能に設けられていてもよい。即ち、少なくとも、先端側にローラ３０を備えた軸（回転軸）が軸受部３３に回転可能に取付けられているか、又は、ローラ３０が軸（固定軸）に回転可能に取付けられていることにより、当該ローラ３０がガイド部４の凹部内の転動ガイド面を転動可能に構成されていればよい。
当該ローラ３０と軸（回転軸３４又は固定軸）とでガイドローラ２９が構成される。
【００４５】
ガイド部４は、構造物における開口２の左側部と一方の領域６側の天井側とに亘って延長するように設けられるとともに、構造物における開口２の右側部と一方の領域６側の天井側とに亘って延長するように設けられる。
ガイド部４は、構造物における開口２の左右の側部に位置する躯体７に設置される垂直ガイド部４Ａと、一方の領域６の天井側において開口２の上端側から開口２から離れる方向に延長するように設けられた上側ガイド部４Ｃと、垂直ガイド部４Ａの上端と上側ガイド部４Ｃの開口２側の端とを連結する円弧状ガイド部４Ｂとを備えて構成される。
構造物における開口２の左右の側部及び一方の領域６側の天井側に設置された左右一対のガイド部４，４間に、開閉体３が開放方向又は閉鎖方向に移動自在に設けられ、開閉体３が垂直ガイド部４Ａと上側ガイド部４Ｃとの間を移動することにより、開閉体３が開口２を開放又は閉鎖する。
【００４６】
ガイド部４は、具体的には、図１０乃至図１２に示すように、ローラ３０が転動可能に収容される断面が凹形状に形成されたレール４０と、レール４０を壁側の躯体７又は天井側の躯体等の構造物側取付部に固定するための取付部４１とを備えて構成されている。
尚、図１０乃至図１５においては、ガイド部４として、構造物における開口２の側部に位置される壁側の躯体７に取り付けられる垂直ガイド部４Ａを図示している。
【００４７】
取付部４１は、レール４０及び被ガイド部抜け防止手段８が固定される一方側固定板部４１ａと、構造物側取付部に固定される他方側固定板部４１ｂとを備える。
【００４８】
レール４０は、ガイド部４の延長方向に沿って延長する凹部４２を形成する長尺部材により構成されるものであり、凹部４２の底面４２ａを形成して取付部４１の一方側固定板部４１ａに取付けられる底板部４３と、底板部４３の一方の領域６側の側縁４３ａより延長する一方領域側側板部４４と、底板部４３の他方の領域側の側縁４３ｂより延長する他方領域側側板部４５とを備える。
底板部４３は、底面４２ａを形成する板面とは反対側の板面から突出するボルト４６を備える。
【００４９】
他方領域側側板部４５は、凹部４２の底面４２ａと直交してローラ３０の他方領域側転動面４５ａを形成する板面を有した平板により形成される。
【００５０】
一方領域側側板部４４は、他方領域側転動面４５ａと凹部４２を隔てて平行に対向するローラ３０の一方領域側転動面４４ａを形成する板面を有した対向平板部４４ｂと、底板部４３の一方の領域６側の側縁４３ａと対向平板部４４ｂの一方の側縁４４ｃとを連結する傾斜連結板部（連結板部）４４ｄと、対向平板部４４ｂの他方の側縁４４ｅより他方領域側転動面４５ａに近付くとともに傾斜連結板部４４ｄから離れる方向に傾斜して延長する先端側傾斜面部（先端側板部）４４ｆとを備えて構成される。
【００５１】
被ガイド部抜け防止手段８は、ローラ３０がガイド部４のレール４０の凹部４２から抜けてしまうことを防止するための手段であり、例えば断面Ｚ形状の長尺板により形成される。
被ガイド部抜け防止手段８は、他方領域側側板部４５の他方領域側転動面４５ａを形成する板面とは反対側の板面と面接触する面接触板部８１と、当該面接触板部８１の一端８１ａより他方領域側側板部４５の延長端縁４５ｔを乗り越えて先端側傾斜面部４４ｆに近付く方向に延長する抜け防止板部８２と、面接触板部８１の他端８１ｂより抜け防止板部８２の延長方向とは反対方向に延長して取付部４１に取付けられる連結板部８３とを備える。抜け防止板部８２及び連結板部８３は、面接触板部８１の板面と直交する板面を有した平板により形成される。
連結板部８３には、ボルト８４を貫通させるボルト貫通孔８３ａが形成されている。
【００５２】
図１２に示すように、取付部４１の一方側固定板部４１ａには、ボルト４６を貫通させるためのボルト貫通孔４６ａ及びボルト８４を貫通させるボルト貫通孔８４ａが形成されている。
従って、ボルト貫通孔４６ａに通したレール４０のボルト４６にナット４７を締結することにより、レール４０が一方側固定板部４１ａに固定される。
また、被ガイド部抜け防止手段８のボルト貫通孔８３ａ及び一方側固定板部４１ａのボルト貫通孔８４ａに通したボルト８４にナット８５を締結することにより、被ガイド部抜け防止手段８が一方側固定板部４１ａに固定される。
【００５３】
以下、各パネルに設けられた被ガイド部としてのローラ３０をガイド部４により移動方向Ｓにガイドするガイド機構の構築方法の一例について説明する。
まず、構造物側取付部に図外の溶接やボルト及ナット等の固定手段を用いて取付部４１の他方側固定板部４１ｂを固定する。
次に、ボルト４６及びナット４７により、取付部４１の一方側固定板部４１ａにレール４０を固定する。
そして、このレール４０の凹部４２内にローラ３０を挿入した後、ボルト８４及びナット８５により、取付部４１の一方側固定板部４１ａに被ガイド部抜け防止手段８を取付ける。
即ち、被ガイド部抜け防止手段８の抜け防止板部８２が、他方領域側側板部４５の延長端縁４５ｔを乗り越えて先端側傾斜面部４４ｆに近付く方向に延長するように設けられるので、開閉体３に風圧が加わった場合等において、ローラ３０が凹部４２の開口を介して凹部４２の外側に抜けようとしても、ローラ３０が先端側傾斜面部４４ｆ及び抜け防止板部８２に衝突するので、ローラ３０が凹部４２から外側に抜けないようになっている。
【００５４】
言い換えれば、ガイド部４に被ガイド部抜け防止手段８を取付けた状態では、抜け防止板部８２及び先端側傾斜面部４４ｆが邪魔になってローラ３０をレール４０の凹部４２内に挿入できないように構成され、かつ、ガイド部４に被ガイド部抜け防止手段８が取付けられていない状態では、ローラ３０をレール４０の凹部４２内に挿入できるように構成されている。
即ち、ガイド部４に被ガイド部抜け防止手段８が取付けられていない状態において、ローラ３０をレール４０の凹部４２内に挿入した後に、被ガイド部抜け防止手段８をガイド部４に取付けることによって、抜け防止板部８２及び先端側傾斜面部４４ｆが邪魔になってローラ３０が凹部４２の外側に抜けることがないように構成されている。
【００５５】
つまり、凹部４２の開口となる他方領域側側板部４５の延長端縁４５ｔと先端側傾斜面部４４ｆの先端４４ｔとの間の間隔は、ローラ３０の直径寸法よりも小さい寸法に設定されているが、ローラ３０の中心軸を傾けながら当該ローラ３０を凹部４２の開口を介して凹部４２内に挿入することが可能となっている。
そして、抜け防止板部８２の先端８２ｔと先端側傾斜面部４４ｆの先端４４ｔとの間の間隔ｄは、凹部４２の開口となる他方領域側側板部４５の延長端縁４５ｔと先端側傾斜面部４４ｆの先端４４ｔとの間の間隔よりも小さい寸法に設定されるとともに、軸３４の直径寸法よりも大きく設定されていて、ローラ３０は、当該間隔ｄを介して凹部４２内に挿入できず、また、当該間隔ｄを介して凹部４２内から外側に外れることができないようになっている。
【００５６】
また、上パネル１０Ａの下框１６及び下側補強体２１、中間パネル１０Ｃの下框１６及び下側補強体２１は、下框１６と下側補強体２１とが一体に形成された一体成形品により構成されている。
また、軸受部３３は、パネル構成体１０を構成する各パネル１０Ａ，１０Ｂ，１０Ｃの、例えば、左縦框１７及び右縦框１８の上端縁側における一方の領域６側の面に取付けられている。例えば、図１３に示すように、軸受部３３は、ヒンジ３２の下取付板３２ｂと一体に形成されている。
また、図１３に示すように、軸３４の安定な回転動作、又は、ガイドローラ２９の安定な取付状態が維持されるように、ガイドローラ２９の軸３４の後端３４ｅ側が、軸受部３３を通過して、左縦框１７又は右縦框１８よりパネルの中央側に突出してパネル本体１１の一方の領域６側に位置されるように設けられている。
従って、上下に隣り合うパネルにおいて、下のパネル１０Ｌに設けられた軸３４の後端３４ｅ側の真上にパネル１０Ｕの下側補強体２１が存在すると、上のパネル１０Ｕが開口２側から天井側に移動する際に、上のパネル１０Ｕがヒンジを３１，３２を介して回転して、上のパネル１０Ｕの下側補強体２１が下のパネル１０Ｌに近づくように回転した場合、又は、下のパネル１０Ｌが天井側から開口２側に移動する際に、下のパネル１０Ｌがヒンジを３１，３２を介して回転して、下のパネル１０Ｌの軸３４の後端３４ｅ側が上のパネル１０Ｕに近づくように回転した場合に、上のパネル１０Ｕの下側補強体２１における中空板部２１ａの下面と下のパネル１０Ｌの軸３４の後端３４ｅ側とが衝突する可能性がある（図１９参照）。
【００５７】
そこで、実施形態においては、下框１６と下側補強体２１とが一体に形成された一体成形品において、上のパネル１０Ｕの下端側に設けられた下側補強体２１の左右の端部を切除して、下のパネル１０Ｌの上端側の左右の端部に設けられたガイドローラ２９，２９の軸３４，３４の後端３４ｅ，３４ｅ側の真上に、上のパネル１０Ｕの下側補強体２１の左右の端部が存在しないように構成したことによって、下側補強体２０とガイドローラ２９の軸３４の後端３４ｅ側とが衝突しないように構成した。
【００５８】
即ち、実施形態においては、図１，図３，図１３，図１４，図１７等に示すように、下框１６と下側補強体２１とが一体に形成された一体成形品において、上のパネル１０Ｕの下側補強体２１の左右の端部側が切除された軸除け部３４Ｌ，３４Ｌを形成したことにより、下のパネル１０Ｌの上端側の左右の端部に設けられたガイドローラ２９，２９の軸３４，３４の後端３４ｅ，３４ｅ側の真上に、下側補強体２１が存在しなくなり、上のパネル１０Ｕの下側補強体２０と下のパネル１０Ｌの軸３４とが衝突しないように構成した。
【００５９】
そして、下側補強体２１の左右の端部側が切除された部分に残った切除跡を隠すカバーが取付けられた構成とした。
即ち、図１７に示すように、下側補強体２１の左右の端部側が切除された部分において、下框１６と下側補強体２１との境界の残った下框１６の面１６ａ上の境界切除跡９０，９０には、当該下框１６の面１６ａに境界切除跡隠しカバー１００，１００を取付けて境界切除跡９０，９０を隠すようにした（図１３，図１，図３参照）。
また、図１７に示すように、下側補強体２１の左右の端部側が切除された部分において、切除後の下側補強体２１の左右の両方の端面に残った端面切除跡９１，９１には、切除後の下側補強体２１の左右の端部９２，９２に端面切除跡隠しカバー２００，２００を取付けて端面切除跡９１，９１を隠すようにした（図１３，図１，図３参照）。
【００６０】
図１５（ａ），（ｂ）に示すように、境界切除跡隠しカバー１００は、下框１６における一方の領域６側に位置する面１６ａと対向する跡隠し板１０１と、跡隠し板１０１の上端より跡隠し板１０１の下端側に折り返すように延長する折り返し板１０２とを備え、跡隠し板１０１と折り返し板１０２との間の有底空間により形成された溝１０３が形成され、この溝１０３に下框１６の上端側が装着される。また、跡隠し板１０１には、リベット取付孔１０４が形成されている。
【００６１】
図１７（ａ），（ｂ）に示すように、境界切除跡隠しカバー１００の跡隠し板１０１の後板面１０５と下框１６における一方の領域６側に位置する面１６ａとを対向させて溝１０３内に下框１６の上端側が挿入されることによって、境界切除跡９０が隠れる取付状態に境界切除跡隠しカバー１００を設置した後、リベット取付孔１０４を介して面１６ａにペンなどで目印を付ける。そして、一旦、境界切除跡隠しカバー１００を外して、当該目印の位置に錐などで下框１６に下穴をあける。そして、境界切除跡隠しカバー１００を取付状態に設置した後、リベット１１０をリベット取付孔１０４及び下穴に取付けることによって、境界切除跡９０が隠れるように、境界切除跡隠しカバー１００が下框１６に取付けられる。
【００６２】
図１６（ａ），（ｂ）に示すように、端面切除跡隠しカバー２００は、切除後の下側補強体２１の左の端部９２（図１７参照）、又は、図外の右端部が挿入される溝２０１を形成する複数の覆板で構成される。
覆板は、切除後の下側補強体２１の中空板部２１ａの端面を覆う中空板部端面覆板２０２と、中空板部端面覆板２０２の一端より延長して中実板部２１ｂの端面を覆う中実板部端面覆板２０３と、中空板部端面覆板２０２の上端より延長して中空板部２１ａの上面を覆う上覆板２０４と、中空板部端面覆板２０２の下端より延長して中空板部２１ａの下面を覆う下覆板２０５と、中実板部端面覆板２０３より延長して中実板部２１ｂの外面を覆う外面覆板２０６とを備え、端面切除跡隠しカバー２００は、これら各覆板で囲まれた溝２０１を備えた構成である。上覆板２０４の延長端２０７と下覆板２０５の延長端２０８と外面覆板２０６の延長端２０９とで溝２０１の開口が形成されている。また、中空板部端面覆板２０２の他端２１０と上覆板２０４の他端２１１と下覆板２０５の他端２１２とで下框１６の面１６ａと対向する開口が形成されている。また、下覆板２０５の他端２１２側には、リベット取付孔２１５が形成されている。
【００６３】
図１７（ａ），（ｂ）に示すように、端面切除跡隠しカバー２００の溝２０１内に切除後の下側補強体２１の端部（左の端部９２（図１７参照）、又は、右端部）が挿入されて、中空板部２１ａの端面、中実板部２１ｂの端面、中空板部２１ａの上面、中空板部２１ａの下面、中実板部２１ｂの外面が、各覆板で覆われた取付状態に端面切除跡隠しカバー２００を設置した後、リベット取付孔２１５を介して中空板部２１ａの下面にペンなどで目印を付ける。そして、一旦、端面切除跡隠しカバー２００を外して、当該目印の位置に錐などで中空板部２１ａの下面に下穴をあける。そして、端面切除跡隠しカバー２００を取付状態に設置した後、リベット取付孔２１５、及び、下穴にリベット２２０を取付けることで、端面切除跡９１が隠れるように、端面切除跡隠しカバー２００が中空板部２１ａに取付けられる。
【００６４】
尚、上パネル１０Ａの上框１５及び上側補強体２０は、上述したように、下框１６と下側補強体２１とが一体に形成されて、軸除け部３４Ｌ、境界切除跡隠しカバー１００、端面切除跡隠しカバー２００を備えたものを、上下逆にして用いている。但し、上パネル１０Ａの上方には上のパネル１０Ｕが連結されていないので、当該上パネル１０Ａの上框１５及び上側補強体２０における軸除け部３４Ｌは不要である。
【００６５】
以上の構成を備えたことで、開閉体３が閉鎖状態から開放状態に移動する際、又は、開放状態から閉鎖状態に移動する際において、上下に隣り合う上のパネル１０Ｕに設けられた下側補強体２１と下のパネル１０Ｌに設けられたガイドローラ２９の軸３４の後端３４ｅ側との衝突を防止でき、衝突音の発生、下側補強体２１の損傷、軸３４や軸受部３３の損傷等を防止できる開閉装置１が得られる。
【００６６】
図１に示すように、開閉機構５は、例えば、開口２の上方において開口２の幅方向に亘って配設される回転軸５１と、回転軸５１の両端部に固着される一対の巻取ドラム５２，５２と、一端が巻取ドラム５２に連結されて他端が開閉体３に連結され、回転軸５１が回転することによって巻取ドラム５２に巻き取られたり巻取ドラム５２から繰り出される、例えば金属製のワイヤー等の連結部材５３と、連結部材５３を巻取ドラム５２で巻き取る方向、即ち、開閉体３を開放する方向に、回転軸５１を付勢する付勢部材５４とを備える。
【００６７】
回転軸５１は、中空又は中実の軸体であって、一対のガイド部４，４が離間する距離と略等しい長さを有し、開口２の上端よりも上方において開口２の幅方向に延長して配設される。回転軸５１は、躯体７に取付けられた複数の軸受けブラケット５６，５６…により回転可能に支持される。
【００６８】
巻取ドラム５２は、連結部材５３の巻き取りや繰り出しを可能とするボビン状（筒状）の部材であって、当該巻取ドラム５２の中心軸と回転軸５１の中心軸とが同心となるように回転軸５１の両端部に固定される。
巻取ドラム５２は、回転軸５１とともに回転することにより、連結部材５３を外周面上に巻き取ったり、連結部材５３を外周面上から繰り出す部材である。より詳細には、巻取ドラム５２は、開閉体３が開放動作する際に連結部材５３を巻取り、開閉体３が閉鎖動作する際に連結部材５３を繰出す。
【００６９】
連結部材５３は、一端が巻取ドラム５２の外周面に止着され、他端が開閉体３の下端部に止着される。なお、連結部材５３は、巻取ドラム５２に巻き取り可能な部材であればよく、例えば、金属製の鎖やチェーン、金属以外の材質の略紐状あるいは略帯状の部材等であっても良い。
【００７０】
付勢部材５４としては、例えば、ねじりばね（トーションスプリング）が使用される。回転軸５１を当該ねじりばねの中空筒部に通した後、ねじりばねの一端部が回転軸５１の外周面に止着され、ねじりばねの他端部が躯体７に止着されている。
当該ねじりばねは、連結部材５３を巻き取る方向に回転軸５１を付勢するように設けられている。
つまり、付勢部材５４は、操作者による開閉体３の開放動作をアシストする機能を有するとともに、開閉体３を全開した状態において、上側ガイド部４Ｃ上に位置する開閉体３を上側ガイド部４Ｃ上で留置く機能を有する。
【００７１】
操作者が、閉鎖状態の開閉体３を持ち上げて開口２を開放する開放動作を行うことにより、開閉体３の最上部に位置するパネルから一枚ずつ折れ曲がるように上側ガイド部４Ｃに順次移動する。そして、開放動作が継続することにより、開閉体３が上側ガイド部４Ｃに移動し、開口２が全開される。
一方、開口２を閉鎖する際には、操作者が、下パネル１０Ｂに取り付けられた図外の下げ紐等の操作部を下方に引張ることにより、開閉体３を垂直ガイド部４Ａに沿って引き下げる閉鎖動作を行う。開閉体３を閉鎖動作させると上側ガイド部４Ｃ上の複数のパネルのうち、開口２側に位置するパネルから垂直ガイド部４Ａに順次移動する。そして、閉鎖動作が継続することにより、開閉体３が垂直ガイド部４Ａに移動し、最下部に位置する下パネル１０Ｂの下端に設けられた水切りシール２５が床面、地面等の開口下端と接触することにより開口２が全閉される。
【００７２】
なお、上記では、開閉機構５として、操作者が開閉体３の開閉を手動で行うタイプの開閉機構を例示したが、図外のチェーンホイスト機構を介して回転軸５１を回転させる開閉機構や、図外のモーター等の駆動源により回転軸５１を回転させる開閉機構を備えた構成であってもよい。
【００７３】
実施形態においては、開閉体３において上下に隣り合うようにヒンジ３１，３２を介して連結された下のパネル１０Ｌと上のパネル１０Ｕとを備え、下のパネル１０Ｌの左縦框１７又は右縦框１８の上端側に軸受部３３を介して取付けられたガイドローラ２９，２９の軸３４の後端３４ｅ側が、左縦框１７又は右縦框１８よりもパネルの中央側に突出するように設けられるとともに、上のパネル１０Ｕの下端側において左縦框１７と右縦框１８との間に下側補強体２１が連続するように設けられた構成において、下側補強体２１の左右の両端側を切除して構成された軸除け部３４Ｌ，３４Ｌを形成して、下のパネル１０Ｌの軸３４の後端３４ｅ，３４側の真上に下側補強体２１が存在しないように構成されたので、開閉体３が閉鎖状態から開放状態に移動する際、又は、開放状態から閉鎖状態に移動する際において、上下に隣り合う上のパネル１０Ｕに設けられた下側補強体２１と下のパネル１０Ｌに設けられたガイドローラ２９の軸３４の後端３４ｅ側との衝突を防止でき、衝突音の発生、下側補強体２１の損傷、軸３４や軸受部３３の損傷等を防止できる開閉装置１が得られる。
【００７４】
また、実施形態においては、下側補強体２１の左右の端部側が切除された部分において、下框１６と下側補強体２１との境界に残った境界切除跡９０を隠す境界切除跡隠しカバー１００が下框１６に取付けられたとともに、切除後の下側補強体２１の端面に残った端面切除跡９１を隠す端面切除跡隠しカバー２００が切除後の下側補強体２１の端部９２に取付けられたので、見栄えの良い軸除け部３４Ｌを形成することができ、見栄えの良い、意匠性に優れた開閉体３を提供できる。
【００７５】
また、実施形態においては、下側補強体２１の中空板部２１ａが中空材料により形成され、当該下側補強体２１の中空板部２１ａの下面には、ヒンジ３１の片方の取付板である上取付板３１ａを中空板部２１ａにねじ止めするためのねじ２８ａの頭部が収容されるねじ頭部収容溝２８を備えたので、下側補強体２１の中空板部２１ａの下面にヒンジ３１を容易に取付けることができるようになる。
また、端面切除跡隠しカバー２００が切除後の下側補強体２１の端部９２に取付けられたので、下側補強体２１の左右の両側からねじ頭部収容溝２８が目視されなくなり、見栄えの良い、意匠性に優れた開閉体３を提供できる。
【００７６】
実施形態の開閉装置によれば、開閉体３の左右の端縁より外側に突出するように設けられた被ガイド部としてのローラ３０と、ローラ３０をガイドするガイド部４と、ローラ３０のガイド部４からの抜けを防止する被ガイド部抜け防止手段８とを備えたので、ローラ３０がガイド部４から抜けてしまうことを防止できる。
【００７７】
実施形態によれば、上側補強体２０、及び、下側補強体２１の倒れを防止する補強体倒れ防止手段６０を備えたので、上側補強体２０や下側補強体２１の倒れに起因するパネルの変形を防止でき、パネルの耐風圧強度の低下を防止できる開閉装置１を提供できるようになる。
また、補強体倒れ防止手段６０は、上側補強体２０とパネルとを連結する場合と下側補強体２１とパネルとを連結する場合との両方に使用できるように構成したので、コスト削減を図ることができる。
【００７８】
また、開閉体３は、上パネル１０Ａが、一方の領域６側の面における上端縁側において、パネルの左右方向Ｗ及び一方の領域６に延長するように設けられた上側補強体２０を備えているので、開閉体３が閉鎖状態に設定された場合に、他方の領域側から開閉体３に加わる風の力が一番強くなる開閉体３の上端側の部分の強度が大きくなる。
即ち、閉鎖状態に設定された開閉体３の上端側の部分の耐風圧強度を大きくできる。
従って、他方の領域側からの風圧に対する耐風圧強度を向上させた開閉体３を備えた開閉装置１を提供できるようになる。
【００７９】
また、下パネル１０Ｂは、一方の領域６側の下端に沿って設けられた下側補強体２２と、一方の領域６側の上下間の中央側に設けられた中央側補強体２３とを備えているので、閉鎖状態に設定された開閉体３の下端側の部分の耐風圧強度を大きくできる。
また、当該下パネル１０Ｂは、中央側補強体２３を備えたので、開閉体３の閉鎖時に下パネル１０Ｂが地面に衝突した際にパネル本体の曲げ耐力が向上する。
【００８０】
また、閉鎖状態の開閉体３は、上下に隣り合うパネルとパネルとの間に下側補強体２１を備えた構成となるため、閉鎖状態に設定された開閉体３の全体の耐風圧強度を大きくできる。
【００８１】
また、上側補強体２０、下側補強体２１，２２、中央側補強体２３は、パネルにおける一方の領域６側の面より突出して、開口２の横幅方向に対応するパネルの左右方向及び一方の領域６に延長するように設けられたので、開口２を隔てた他方の領域側からの風圧に対する開閉体３の耐風圧強度をより向上させることができるようになる。
【００８２】
また、上パネル１０Ａの上側補強体２０及び下側補強体２１、中間パネル１０Ｃの下側補強体２１を、中空材料により形成したので、材料費を削減できるとともに、高強度の補強体を備えた開閉体３を提供できる。
【００８３】
尚、上側補強体２０は、上述したように上框１５と一体に形成されたものであっても良いし、あるいは、上框１５と別体に形成された後に上框１５に連結される構成のものであってもよい。
また、下側補強体２１は、上述したように下框１６と一体に形成されたものであっても良いし、あるいは、下框１６と別体に形成された後に下框１６に連結される構成のものであってもよい。
即ち、上記では、下框１６及び下側補強体２１が、下框１６と下框１６の一方の領域６側の面より突出する下側補強体２１とが一体に形成された一体成型品により構成され、この一体成型品の下側補強体２１の左右の端部側が切除された軸除け部３４Ｌを備えた構成を例示したが、下框と下側補強体とが別々に製作されて当該下框と下側補強体とが連結された構成のものを用いてもよい。この場合、下側補強体の左右の長さを短くすることで、下側補強体の左右の端部側に軸除け部を備えた構成とすればよい。
【００８４】
尚、中間パネル１０Ｃは、パネルの一方の領域６側の面における下端縁側にのみ下側補強体２１を備えたものを例示したが、中間パネル１０Ｃは、下側補強体２１を備えるとともに、パネルの一方の領域６側の面における上下間の中央側に中央側補強体を備えた構成としてもよい。
【００８５】
また、上パネル１０Ａは、パネルの一方の領域６側の面において上述した上側補強体２０及び下側補強体２１の他に、パネルの一方の領域６側の面における上下間の中央側に中央側補強体を備えた構成としてもよい。
【００８６】
また、上側補強体２０及び下側補強体２１は、開口２の横幅方向に対応するパネルの左右方向に沿って、間欠的に設けられた構成であってもよい。
【００８７】
補強体倒れ防止手段は、上側補強体２０や下側補強体２１との連結部が、ねじ等の固定手段により連結される構成であってもよい。
【００８８】
また、補強体倒れ防止手段は、溶接や接着等の固定手段によって、パネルの一方の領域６側の面（例えば、框補強部材１３の補強板部１３ａ）と補強体とに連結された構成であってもよい。
【００８９】
取付部４１、レール４０、被ガイド部抜け防止手段８は、例えば、金属製の平板を、ロール成形、プレス成形等により成形して作成される。
【００９０】
被ガイド部抜け防止手段８は、ガイド部４のうち、少なくとも垂直ガイド部４Ａに設けられていればよい。
【００９１】
被ガイド部は、球体等の転動体で構成されていてもよい。
【００９２】
また、被ガイド部は、転動体ではなく、摺動体で構成されていてもよい。
【符号の説明】
【００９３】
１  開閉装置、２  開口、３  開閉体、４  ガイド部、６  一方の領域、
１０Ａ  上パネル（パネル）、１０Ｂ  下パネル（パネル）、
１０Ｃ  中間パネル（パネル）、１０Ｕ  上のパネル（上側に位置されるパネル）、
１０Ｌ  下のパネル（下側に位置されるパネル）、１１  パネル本体、１２  框、
１５  上框、１６  下框、１７  左の縦框、１８  右の縦框、
２１  下側補強体（補強体）、２８ａ  ねじ、２９  ガイドローラ、
３０  ローラ（被ガイド部、転動体）、３１，３２  ヒンジ、３４  軸、
９０，９１  切除跡、１００  境界切除跡隠しカバー、２００  端面切除跡隠しカバー。
【図１】
2020066946.tif 000003
【図２】
2020066946.tif 000004
【図３】
2020066946.tif 000005
【図４】
2020066946.tif 000006
【図５】
2020066946.tif 000007
【図６】
2020066946.tif 000008
【図７】
2020066946.tif 000009
【図８】
2020066946.tif 000010
【図９】
2020066946.tif 000011
【図１０】
2020066946.tif 000012
【図１１】
2020066946.tif 000013
【図１２】
2020066946.tif 000014
【図１３】
2020066946.tif 000015
【図１４】
2020066946.tif 000016
【図１５】
2020066946.tif 000017
【図１６】
2020066946.tif 000018
【図１７】
2020066946.tif 000019
【図１８】
2020066946.tif 000020
【図１９】
2020066946.tif 000021